(57)【要約】【課題】  設定の手間と時間をかけることなく前回の閲覧時と同一の表示形式で表示を行う。【解決手段】  データ表示装置１は、各チャンネル毎の測定データを表示するための表示形式が設定手段１１からなされると、端末装置４のブラウザの起動により、設定手段１１で設定された表示フォーマットで各チャンネル毎の測定データが表示画面上に表示される。測定データの閲覧終了時には、端末装置からの通信コマンドにより、そのときの表示形式の情報がデータ収録装置３の記憶手段１３に書き込まれる。再度測定データを閲覧するべくブラウザが起動されると、端末装置４がデータ収録装置３に表示形式の情報を要求し、この要求した表示形式をデータ収録装置３から受信し、この受信した前回終了時と同一の表示形式に基づく表示フォーマットで現在の測定データから表示がなされる。【選択図】    図２
2005127843.tif 000002
【特許請求の範囲】
【請求項１】
測定データを所定の表示フォーマットでブラウザの起動により表示画面上に表示するデータ表示装置であって、
ブラウザ起動時に、前回終了時と同一の表示形式で現在の測定データから前記表示画面上に表示することを特徴とするデータ表示装置。
【発明の詳細な説明】
【技術分野】
【０００１】
本発明は、複数チャンネルの各種入力信号の測定データを表示するデータ表示装置に関し、特に、熱電対や測温抵抗体などの温度検出素子からの温度信号の他、接点信号や電圧信号などの各種入力信号の測定データの経時変化（時間経過に対する値の変化）をチャートとして記録紙に代えて表示画面上に表示するデータ表示装置に関するものである。
【背景技術】
【０００２】
従来、例えば熱電対や測温抵抗体などの温度検出素子からの温度信号の他、接点信号、電圧信号などの信号を取り込み、この取り込んだ信号を各チャンネル毎の測定データとしてその経時変化を表示画面上にチャート表示するペーパーレスの記録計が既に知られている。
【０００３】
図７は上記特許文献１に開示される記録計の正面図である。図７に示すように、この記録計５１は、表示部５２を有し、例えば熱電対や測温抵抗体などの温度検出素子からの温度信号の他、接点信号や電圧信号などを入力信号として取り込み、この取り込んだ信号を各チャンネル毎の測定データとして表示部５２の表示画面５２ａ上に表示している。その際、表示部５２の表示画面５２ａ上には、各チャンネル毎の測定データの経時変化がチャートとして表示されるようになっている。これにより、記録紙を必要とせず、あたかも記録紙が画面を流れるように各チャンネル毎の測定データをトレンド表示するペーパーレス記録計が構成される。
【０００４】
ところで、上記特許文献１を含め、表示画面上に複数チャンネルの測定データを表示する従来のペーパーレス記録計では、所望チャンネルの測定データのチャートのみを表示する場合、その都度表示画面を設定画面に切り替え、この設定画面上でチャート表示を行うためのチャンネルを選択して設定を行っていた。
【特許文献１】特公平５−３３７２５号公報
【発明の開示】
【発明が解決しようとする課題】
【０００５】
しかしながら、上述した従来のペーパーレス記録計では、所望チャンネルの測定データのチャートを表示する際、その都度、設定画面を表示させてチャンネルを選択設定するという煩わしい操作が必要不可欠であり、所望チャンネルの測定データのチャートを表示させるまでに手間と時間を要していた。すなわち、従来のペーパーレス記録計では、必要時に所望チャンネルの測定データのチャートのみを簡単な操作により即座に切り替えて表示することができなかった。
【０００６】
そこで、本件出願人等は、所望チャンネルの測定データのチャートを簡単な操作で表示することができるデータ表示装置を既に出願している。このデータ表示装置は、ＬＡＮケーブルを用いてイーサネット（Ｒ）によりネットワーク接続されたデータ収録装置と端末装置を備えて構成され、端末装置からブラウザの起動により収録データの閲覧要求があると、データ収録装置に収録された各チャンネル毎の測定データがＬＡＮケーブルを介して端末装置に送られるようになっている。このデータ表示装置では、ブラウザの起動により端末装置の表示画面上に現在表示されているチャートの中からチャートに対応する任意のチャンネルが選択されると、この選択されたチャンネルのチャートのみを表示画面に表示している。そして、再度同チャンネルが選択されたときには選択前のチャートの表示状態に戻るようになっている。
【０００７】
しかしながら、上述したデータ表示装置では、端末装置でブラウザを起動させると、ホームページに相当するメニュー画面が表示されるため、前回の閲覧時と同一の表示形式で表示を行うには、メニュー画面からキーボードやマウスなどの入力装置を操作して所望の画面へ移行し、表示形式をその都度設定する必要があった。このため、ブラウザ起動時に前回の閲覧時と同一の表示形式で表示を行う場合、設定に手間と時間を要するという問題があった。
【０００８】
そこで、本発明は、上記問題点に鑑みてなされたものであり、設定に手間と時間をかけることなく前回の閲覧時と同一の表示形式で表示を行うことができるを提供することを目的としている。
【課題を解決するための手段】
【０００９】
上記目的を達成するため、本発明の請求項１に記載されたデータ表示装置は、測定データを所定の表示フォーマットでブラウザの起動により表示画面上に表示するデータ表示装置であって、
ブラウザ起動時に、前回終了時と同一の表示形式で現在の測定データから前記表示画面上に表示することを特徴とする。
【発明の効果】
【００１０】
本発明によれば、ブラウザ起動時には、その時点からの測定データが前回表示した表示形式と同じ表示形式で表示することができる。これにより、設定の手間と時間をかけることなく前回の閲覧時と同一の表示形式で表示を行うことができる。
【発明を実施するための最良の形態】
【００１１】
図１は本発明に係るデータ表示装置の概略構成図、図２は同データ表示装置の機能ブロック図、図３乃至図６は同データ表示装置による各チャンネル毎の測定データの表示例を示す図である。なお、図３は前回終了時の表示例を示し、図４は図３の表示形式で終了した後に再度ブラウザを起動したときの表示例を示している。また、図５は前回終了時の図３と異なる表示形式による表示例を示し、図６は図５の表示形式で終了した後に再度ブラウザを起動したときの表示例を示している。
【００１２】
図１に示すように、本例のデータ表示装置１は、ＬＡＮケーブル２を用いてイーサネット（Ｒ）によりネットワーク接続されたデータ収録装置３と端末装置４を備えて構成される。
【００１３】
図２に示すように、データ収録装置３は、設定手段１１、入出力手段１２、記憶手段１３、制御手段１４を備えている。
【００１４】
設定手段１１は、例えばチャンネル数、測定レンジ範囲などデータ収録に関する各種設定を行っている。この設定手段１１で設定される各種設定情報は制御手段１４に入力される。なお、この設定手段１１による各種設定は、ネットワーク又はシリアル通信により行う他、例えばユーザのキー操作により手動で設定することもできる。また、端末装置４側で表示形式に関する情報の設定が行われない場合には、この設定手段１１から表示形式に関する情報の設定がなされる。この表示形式に関する情報としては、例えば表示領域のサイズ、表示領域の分割数、各チャンネル表示の色、チャート表示のスケール範囲（横軸）や時間範囲（縦軸）、バーグラフ表示のスケール範囲（横軸）や平均値範囲（縦軸）などがある。
【００１５】
入出力手段１２は、Ｉ／Ｏインターフェースであり、例えば熱電対や測温抵抗体などの温度検出素子からの温度信号の他、接点信号や電圧信号などの各種入力信号を各チャンネル毎に入力している。このチャンネル毎の各種入力信号は、図１に示すような通信ケーブル１５によりネットワーク接続された複数の入力モジュール１６を介して取り込む。この他、直接入出力手段１２からも取込み可能となっている。また、入出力手段１２は、データ収録装置３に対し、端末装置４からブラウザ（ＷＷＷブラウザ、Internet Explorer （Ｒ）、Netscape（Ｒ）、ビューアなどのソフト）の起動により収録データの閲覧要求があったときに、記憶手段１３に記憶された各チャンネル毎の測定データをＬＡＮケーブル２を介して端末装置４に出力している。
【００１６】
記憶手段１３は、例えばハードディスクやＲＯＭ，ＲＡＭなどで構成される。この記憶手段１３には、データ収録の処理に関する各種処理プログラムが記憶されている。また、記憶手段１３には、入出力手段１２から入力される各チャンネル毎の入力信号を測定データとして記憶している。なお、この記憶手段１２は、データ収録の処理に関する各種処理プログラムや各チャンネル毎の測定データを記憶できるものであればよく、本体に着脱可能な外部記憶媒体も含むものである。
【００１７】
制御手段１４は、例えばＣＰＵなどのマイクロプロセッサで構成され、設定手段１１に設定された各種設定情報と記憶手段１３に格納された各種処理プログラムに基づいてデータ収録に関する処理と端末装置４からの収録データの閲覧要求に対する処理を制御している。具体的には、各チャンネル毎の入力信号を入出力手段１２から取り込む制御、各チャンネル毎の入力信号を測定データとして記憶手段１３に記憶する制御、端末装置４から収録データの閲覧要求時に記憶手段１３に記憶された測定データを端末装置４に出力する制御などを行っている。
【００１８】
図１及び図２に示すように、端末装置４は、パソコンで構成され、設定手段２１、入出力手段２２、記憶手段２３、表示手段２４、制御手段２５を備えている。
【００１９】
設定手段２１は、例えばユーザにより手動操作されるキーボードやマウスなどの入力装置で構成される。この設定手段２１では、表示手段２４の表示画面２４ａ上に各チャンネル毎の測定データを表示するためのブラウザの起動、ブラウザ起動時の表示形式に関する設定、表示画面２４ａ上にチャート表示する測定データのチャンネル数の設定、各チャンネルの測定レンジを示すスケールの範囲設定、各チャンネルの表示色の設定、上下限値のアラーム設定などを行っている。この設定手段２１で設定される各種設定情報は制御手段２５に入力される。
【００２０】
入出力手段２２は、Ｉ／Ｏインターフェースであり、データ収録装置３に収録された測定データを表示する際に測定データの閲覧要求を示す信号を出力し、この閲覧要求に対してデータ収録装置３から送られる各チャンネル毎の測定データを入力している。
【００２１】
記憶手段２３は、例えばハードディスクやＲＯＭ，ＲＡＭの他、例えばコンパクトフラッシュ（Ｒ）メモリカードなどのような外部記憶媒体で構成される。この記憶手段２３には、ＬＡＮケーブル２を介してデータ収録装置３の記憶手段１３から取り込んだ収録データの表示処理に関する各種処理プログラムが記憶されている。また、記憶手段２３は、入出力手段２２から入力される各チャンネル毎の測定データを記憶している。さらに、記憶手段２３は、前回のブラウザ起動時に表示手段２４の表示画面２４ａに表示される表示形式に関する各種情報を記憶している。
【００２２】
表示手段２４は、データ収録装置３に収録された各チャンネル毎の測定データを制御手段２５の制御によりブラウザを用いて表示している。本例の表示手段２４では、予め設定された表示形式で各チャンネル毎の測定データをブラウザ起動による表示画面２４ａ上に表示している。
【００２３】
例えば図３の表示形式が表示フォーマットとして設定されている場合、ブラウザ起動時の表示画面２４ａには、図３に示すように、各チャンネルを表示する第１のチャンネル表示部３１、第１のチャンネル表示部３１の各チャンネルに対応して現在データを数値表示する現在データ表示部３２、現在データ表示部３２の各チャンネルの測定レンジ範囲を表示する第１のスケール表示部３３、第１のスケール表示部３３の範囲内において各チャンネル毎の経時変化を異なる色でチャート表示するチャート表示部３４が画面の上方から順に表示される。
【００２４】
また、図５の表示形式が表示フォーマットとして設定されている場合、ブラウザ起動時の表示画面２４ａには、各チャンネルを表示する第１のチャンネル表示部３１、第１のチャンネル表示部３１の各チャンネルに対応して現在データを数値表示する現在データ表示部３２、現在データ表示部３２の各チャンネルの測定レンジ範囲を表示する第１のスケール表示部３３、第１のスケール表示部３３の範囲内において各チャンネル毎の経時変化を異なる色でチャート表示するチャート表示部３４が画面の左側に上方から順に表示され、各チャンネルを表示する第２のチャンネル表示部３５、第２のチャンネル表示部３５の各チャンネルに対応して単位時間当たりの変化量を数値表示する変化量表示部３６、変化量表示部３６の各チャンネルの範囲を表示する第２のスケール表示部３７、第２のスケール表示部３７の範囲内において各チャンネル毎の単位時間当たりの変化量の経時変化を異なる色でチャート表示する変化量チャート表示部３８、各チャンネルを表示する第３のチャンネル表示部３９、第３のチャンネル表示部３９の各チャンネルに対応して平均値データを数値表示する平均値表示部４０、各チャンネルに対応して平均値データをバーグラフ表示するバーグラフ表示部４１が画面の右側に上方から順に表示される。なお、図４及び図５では、チャンネル表示、スケール表示、データ表示の一部を省略している。
【００２５】
制御手段２５は、例えばＣＰＵなどのマイクロプロセッサで構成され、設定手段２１に設定された各種設定情報と記憶手段２３に格納された各種処理プログラムに基づいて各チャンネル毎の測定データの各種表示に関する処理を制御している。具体的に、前回のブラウザ起動による表示形式に関する情報をデータ収録装置３の記憶手段１３に書き込む場合には、データ収録装置３に通信コマンド（ＳＥＴ）を送出する。前回のブラウザ起動による表示形式に関する情報を自身の記憶手段２３に書き込む場合には、自身の記憶手段２３に前回のブラウザ起動による表示形式に関する情報を書き込む。そして、次回のブラウザの起動時には、データ収録装置３に表示形式に関する情報の取得を要求（ＲＥＱ）し、前回のブラウザ起動による表示形式に関する情報（ＡＮＳ）を受信し、この受信した情報の表示形式で各チャンネル毎の測定データを表示制御している。なお、前回のブラウザ起動による表示形式に関する情報が自身の記憶手段２３に書き込まれた場合は、次回のブラウザ起動時に、自身の記憶手段２３に書き込まれた表示形式に関する情報を読み出し、この読み出した表示形式で各チャンネル毎の測定データを表示制御している。
【００２６】
次に、上記のように構成されるデータ表示装置１により測定データの閲覧を終了した後、再度ブラウザを起動して測定データを閲覧する場合の動作について図３乃至図６を参照しながら説明する。
【００２７】
今、図３の表示形式が表示フォーマットとして設定されているものとする。端末装置４のブラウザを起動させて測定データの表示を実行すると、データ収録装置３によって収録された各チャンネル毎の測定データが図３の表示形式で表示手段２４の表示画面２４ａ上に表示される。ここで、ブラウザ起動による測定データの閲覧が終了すると（ブラウザ起動が解除されると）、図３の表示形式の情報が端末装置４からの通信コマンドによりデータ収録装置３の記憶手段１３に書き込まれる。又は端末装置４により自身の記録手段２３に図３の表示形式の情報が書き込まれる。そして、再度測定データを閲覧するべく端末装置４のブラウザが起動されると、端末装置４がデータ収録装置３に図３の表示形式の情報を要求する。これにより、データ収録装置３は、記憶手段１３に書き込まれた前回終了時の図３の表示形式の情報を端末装置４に送出する。端末装置４は、データ収録装置３から送出される図３の表示形式の情報を受信すると、その表示形式の情報に基づく表示フォーマットで図４に示すべく現在の測定データから表示を行う。
【００２８】
なお、前回終了時に端末装置４により自身の記録手段２３に図３の表示形式の情報が書き込まれた場合は、再度測定データを閲覧するべく端末装置４のブラウザが起動されると、自身の記憶手段２３に書き込まれた図３の表示形式の情報を読み出し、この読み出した表示形式の情報に基づく表示フォーマットで図４に示すべく現在の測定データから表示を行う。
【００２９】
また、図５の表示形式が表示フォーマットとして設定されている場合には、端末装置４のブラウザ起動による測定データの閲覧が終了すると、図５の表示形式の情報が端末装置４からの通信コマンドによりデータ収録装置３の記憶手段１３に書き込まれる。又は端末装置４により自身の記録手段２３に図５の表示形式の情報が書き込まれる。そして、再度測定データを閲覧するべく端末装置４のブラウザが起動されると、端末装置４がデータ収録装置３に図５の表示形式の情報を要求する。これにより、データ収録装置３は、記憶手段１３に書き込まれた前回終了時の図５の表示形式の情報を端末装置４に送出する。端末装置４は、データ収録装置３から送出される図５の表示形式の情報を受信すると、その表示形式の情報に基づく表示フォーマットで図６に示すように現在の測定データから表示を行う。
【００３０】
なお、前回終了時に端末装置４により自身の記録手段２３に図３の表示形式の情報が書き込まれた場合は、再度測定データを閲覧するべく端末装置４のブラウザが起動されると、自身の記憶手段２３に書き込まれた図３の表示形式の情報を読み出し、この読み出した表示形式の情報に基づく表示フォーマットで図４に示すべく現在の測定データから表示を行う。
【００３１】
このように、本例のデータ表示装置１によれば、最初に表示形式を設定しておけば、ブラウザ起動時には、その時点からの測定データが前回表示した表示形式と同じ表示形式で表示することができる。これにより、最初の設定を済ませておけば、その後は設定の手間と時間をかけることなく前回の閲覧時と同一の表示形式で表示を行うことができる。
【００３２】
ところで、本例のデータ表示装置１では、前回終了時のブラウザ起動による表示形式の情報をデータ収録装置３の記憶手段１３、又は端末装置４の記憶手段２３に書き込む構成として説明したが、表示形式で共通するパラメータをデータ収録装置３の記憶手段１３に書込み、その他の共通しないパラメータに関しては端末装置４の記憶手段２３に書き込むように構成し、前回の表示形式の情報を振り分けて記憶手段に書き込むこともできる。また、図１では、１台の端末装置４に対して４台のデータ収録装置３がネットワーク接続されている構成であるが、この場合、端末装置４の記憶手段２３に前回終了時の表示形式の情報を記憶させておけば、端末装置４でブラウザを起動させると、４台全てのデータ収録装置３からの測定データが前回終了時の表示形式で端末装置４の表示画面に表示される。また、複数台の端末装置４をネットワーク接続し、特定の端末装置４による測定データの閲覧終了時に全てのデータ収録装置３の記憶手段１３に前回終了時の表示形式の情報を記憶させておけば、次回に全ての端末装置４から一斉にブラウザが起動すると、全ての端末装置４で共通の表示形式で測定データの閲覧をすることができる。
【００３３】
また、本例のデータ表示装置１は、データ収録装置３と端末装置４がＬＡＮ接続され、端末装置４でブラウザを起動させてデータ収録装置３が収録した測定データを各種表示フォーマット（例えば図３や図５参照）の表示を行う構成としたが、データ収録装置３と端末装置４を一体化したスタンドアロンの構成のネットワーク記録計としてもよい。この場合のネットワーク記録計は、図２に示す端末装置４の構成と概略等しくなり、入出力手段２２からチャンネル毎の各種入力信号を入力し、この入力されたデータを記憶手段２３に記憶する。そして、図３乃至図６に示すように、ブラウザの起動により表示手段２４の表示画面２４ａ上に各チャンネル毎の経時変化を示す各種表示フォーマットによる表示を行うことができる。その際、ブラウザ起動時には、その時点からの測定データが前回表示した表示形式と同じ表示形式で表示されることになる。
【図面の簡単な説明】
【００３４】
【図１】本発明に係るデータ表示装置の概略構成図である。
【図２】本発明に係るデータ表示装置の機能ブロック図である。
【図３】本発明に係るデータ表示装置による各チャンネル毎の測定データの表示例であり、前回終了時の表示例を示す図である。
【図４】本発明に係るデータ表示装置において、図３の表示形式で終了した後に再度ブラウザを起動したときの表示例を示す図である。
【図５】本発明に係るデータ表示装置による各チャンネル毎の測定データの他の表示例であり、前回終了時の表示例を示す図である。
【図６】本発明に係るデータ表示装置において、図５の表示形式で終了した後に再度ブラウザを起動したときの表示例を示す図である。
【図７】従来のペーパーレス記録計の正面図である。
【符号の説明】
【００３５】
１  データ表示装置
２  ＬＡＮケーブル
３  データ収録装置
４  端末装置
１１，２１  設定手段
１２，２２  入出力手段
１３，２３  記憶手段
１４，２５  制御手段
１５  通信ケーブル
１６  入力モジュール
２４  表示手段
２４ａ  表示画面
３１  第１のチャンネル表示部
３２  現在データ表示部
３３  第１のスケール表示部
３４  チャート表示部
３５  第２のチャンネル表示部
３６  変化量表示部
３７  第２のスケール表示部
３８  変化量チャート表示部
３９  第３のチャンネル表示部
４０  平均値表示部
４１  バーグラフ表示部
【図１】
2005127843.tif 000003
【図２】
2005127843.tif 000004
【図３】
2005127843.tif 000005
【図４】
2005127843.tif 000006
【図５】
2005127843.tif 000007
【図６】
2005127843.tif 000008
【図７】
2005127843.tif 000009